(57)【要約】【課題】  複数の商品を同時に読み取ることができる商品情報登録装置において、商品の登録時間を短縮することができる商品情報登録装置を提供すること。【解決手段】  表示部１１と、商品識別情報を記憶した無線タグと通信し、この商品識別情報を読み取る無線タグ読み取り部５と、この読み取り部５で読み取られた商品識別情報に応じた画像を表示部１１に表示する表示手段と、商品識別情報に対応する商品情報を登録する登録部１６とを具備し、通信手段が無線タグから商品識別情報を読み取ると、登録手段１０６は読み取った無線タグの商品識別情報に対応した商品情報を登録し、表示手段は商品識別情報に応じた商品情報を表示部１１に表示するようにしたことを特徴とする。【選択図】          図１
2005173769.tif 000002
【特許請求の範囲】
【請求項１】
表示部と、
商品識別情報を記憶した無線タグと通信し、この商品識別情報を読み取る
通信手段と、
この通信手段で読み取られた商品識別情報に応じた画像を前記表示部に表示する表示手段と、
前記商品識別情報に対応する商品情報を登録する登録手段とを具備し、
前記通信手段が無線タグから商品識別情報を読み取ると、前記登録手段は読み取った無線タグの商品識別情報に対応した商品情報を登録し、前記表示手段は商品識別情報に応じた商品情報を前記表示部に表示するようにしたことを特徴とする商品情報登録装置。
【請求項２】
前記表示手段により読み取り手段で読み取られた商品識別情報に応じた画像を前記表示部に表示した後、前記無線タグとの通信ができなくなったときに、前記通信ができなくなった無線タグの商品識別情報に応じた商品画像の画像を消去する消去手段を備えていることを特徴とする請求項1記載の商品情報登録装置。
【請求項３】
前記登録手段により前記商品識別情報に応じた商品情報を登録した後、前記入力手段から入力された数量に応じた商品情報を登録することを特徴とする請求項１乃至請求項２記載の商品情報登録装置。
【請求項４】
前記登録手段により前記商品識別情報に応じた商品情報を登録した後、前記無線タグと通信する機能が登録された商品識別情報と同じ商品識別情報を読み取ったとき、前記入力手段の入力があると前記登録した商品情報を削除することを特徴とする請求項１乃至請求項３記載の商品情報登録装置。
【請求項５】
前記通信手段が無線タグと通信可能な領域と、前記表示部が、本商品情報登録装置を操作して商品情報を登録する店員の立つ場所から見て同一方向に配置したことを特徴とする請求項１乃至請求項４記載の商品情報登録装置。
【請求項６】
前記通信手段が動作するときはバーコードを読み取るバーコード読み取り手段を停止し、このバーコード読み取り手段が動作するときは前記通信手段を停止することを特徴とする請求項１乃至請求項５記載の商品情報登録装置。
【発明の詳細な説明】
【技術分野】
【０００１】
本発明は、店舗において、商品を特定する情報を記憶する無線タグやバーコードを読み取って登録する商品情報登録装置に関する。
【背景技術】
【０００２】
商品毎に取り付けられたバーコードや無線タグを読み取る機能を備えた商品情報登録装置としての金銭登録機が知られている（例えば、特許文献１参照）。この特許文献１においては、データキャリアリーダは商品に添付されたデータキャリア情報を読み取って、しその商品の識別データ及び製造日等を金銭登録機に入力するようになっている。この際、金銭登録機の表示部には、商品の販売総金額を表示して購入者に表示している。
【特許文献１】特開平１１−６６４３５号公報
【発明の開示】
【発明が解決しようとする課題】
【０００３】
従来のようにバーコードを使用して商品を１つずつ読み取る場合には、読み取り操作を行う店員が音で読み取りを確認している。また、無線タグを使用して複数の商品を同時に読み取る場合には、全て読み取ったか否かの判断をすることができなかった。さらに、複数の商品を同時に読み取るときに、読み取った商品と読み取れなかった商品がある場合、どの商品を読み取れなかったかを簡単に知ることができなかった。
【０００４】
このため、複数の商品を同時に読み取る場合には、商品登録の時間が多くかかってしまっていた。
【０００５】
本発明は、上記の点に鑑みてなされたもので、その目的は、複数の商品を同時に読み取ることができる商品情報登録装置において、商品の登録時間を短縮することができる商品情報登録装置を提供することにある。
【課題を解決するための手段】
【０００６】
本発明は、表示部と、商品識別情報を記憶した無線タグと通信し、この商品識別情報を読み取る通信手段と、この通信手段で読み取られた商品識別情報に応じた画像を前記表示部に表示する表示手段と、前記商品識別情報に対応する商品情報を登録する登録手段とを具備し、前記通信手段が無線タグから商品識別情報を読み取ると、前記登録手段は読み取った無線タグの商品識別情報に対応した商品情報を登録し、前記表示手段は商品識別情報に応じた商品情報を前記表示部に表示するようにしたことを特徴とする商品情報登録装置である。
【発明の効果】
【０００７】
本発明によれば、商品の読み取りを行う店員が同時に複数の商品を読み取らせることができ、しかも読み取れなかった商品は別の読取装置で読み取らせることができる商品情報登録装置を提供することにある。
【発明を実施するための最良の形態】
【０００８】
以下、本発明の実施の形態を図面を参照して説明する。
【０００９】
（第１の実施の形態）
図１は商品情報登録装置の外観図である。図において、１はレジスタである。このレジスタ１には、画像を表示する機能手段を備えた画像表示部２と、店員が操作して入力をすることができる入力手段となるキーボード３がある。レジスタ１には、商品についているバーコードを読み取る機能手段を備えた手持ち式のバーコード読み取り部４が接続されている。
【００１０】
５は無線タグと通信を行う通信機能手段を備えた無線タグ読み取り部５である。この無線タグ読み取り部５はレジスタ１に接続されており、レジ台６の内部に置かれている。
【００１１】
次に、図２を参照して本商品情報登録装置のブロック図について説明する。図において、１５は制御部である。この制御部１５は、設定されたプログラムに従って本商品情報登録装置を制御する。
【００１２】
制御部１５には、画像表示部１１、入力部１２、無線タグ読み取り部１３、バーコード読み取り部１４が接続されている。
【００１３】
画像表示部１１には、商品画像が表示可能であり、商品名や金額等を表示することもできる。
【００１４】
入力部１２は、店員が操作するキーボードやマウス等の入力機器である。例えば、入力部１２には、テンキー、確認キー、登録取り消しキー、スキャナ切換えキー等が備えられている。
【００１５】
無線タグ読み取り部１３は、商品に取り付けられた無線タグと無線通信を行うことにより、無線タグ内部に記憶されている情報を読み取る。
【００１６】
バーコード読み取り部１４は、商品に取り付けられたバーコードを読み取る。
【００１７】
登録部１６は、無線タグ読み取り部１３で読み取った情報やバーコード読み取り部１４で読み取ったバーコード情報に応じた商品識別情報や価格を登録する。
【００１８】
データベース部１７は、無線タグ読み取り部１３で読み取った情報やバーコード読み取り部１４で読み取ったバーコード情報を入力すると、その情報に応じた画像情報や価格を出力する。
【００１９】
次に、図３を参照して商品に取り付けられる無線タグとバーコードの一例を説明する。図３（Ａ）は、洋服や靴等に付けられるタグ２０を示す。タグ２０に無線タグ２１が付けられると共に、バーコード２２が印字されている。ここで、無線タグ２１に記憶されている情報は、バーコード２２と同じデータである。しかしながら、無線タグ２１に記憶されている情報が、シリアル番号のみの場合は、データベース部１７に無線タグ２１に記憶されているシリアル番号とバーコード２２が対応するようにデータベース化しておけば良い。
【００２０】
タグ２０には穴が開けられている。この穴に紐２３を通して、洋服や靴等にタグを取り付ける。図３（Ｂ）は、商品に無線タグとバーコードが付けられている例として、箱２５に無線タグ２６とバーコード２７が付けられている図を示す。このように、無線タグには、記憶されている情報から商品を特定できる商品識別情報が記憶されており、バーコードには商品を特定できる商品識別情報が印字されている。
【００２１】
次に、画像表示部２の表示画面を図４を参照して説明する。画像表示枠５１〜５６内には、無線タグ読み取り部５にて読み取った商品識別情報に対応した商品画像が表示される。商品画像の表示は、商品識別情報の読み取り順に表示し、読み取りを行う店員が直ちに読み取った商品の数量と商品が分かるようにする。商品画像を表示していない画像表示枠５４〜５６は、画像表示枠を表示しても良いし、画像表示枠を画面の背景色と同じにしてもよい。表示枠５７は、文字列の表示部分であり、登録した商品の商品名や金額や精算金額等を表示することができる。
【００２２】
次に、本発明の第1の実施の形態の動作について図６のフローチャートを参照して説明する。図５は商品情報登録動作を説明する図、図６は商品情報登録処理のフローチャートである。
【００２３】
キーボード３の操作により商品情報の登録が開始される。すると、無線タグ読み取り部５から電磁波が出力される。そして、読み取り範囲４０内に無線タグが入ると、無線タグの読み取りを行うことができる。商品４１〜４３には、図３（Ａ）に示したタグが取り付けられている。
【００２４】
店員が商品４１〜４３を読み取り範囲４０に移動させると、無線タグの読み取りが行われる。
【００２５】
まず、ＳＴ６１にて、商品４２に付けられた無線タグの商品識別情報が読み取られる。ＳＴ６２にて、読み取った商品識別情報がデータベース部１７に送られ、データベース部１７から商品識別情報に応じた商品名や金額や商品画像が制御部１５に送られる。ＳＴ６３にて、制御部１５は登録部１６に商品名や金額を登録すると共に、画像表示部２の画像表示枠５１内に商品画像を表示する。
【００２６】
ＳＴ６４にて、別の無線タグがあるかを判定して、別の無線タグがある場合はＳＴ６１の処理に戻る。ＳＴ６１にて商品４３の無線タグを読み取り、ＳＴ６２にてデータベースへ問合せをして、ＳＴ６３にて商品情報の商品画像を画像表示枠５２に表示する。そして、再度ＳＴ６４にて別の無線タグの有無を判定する。
【００２７】
別の無線タグとして商品４１の無線タグを読み取るので、ＳＴ６１〜ＳＴ６３の処理を行い、画像表示枠５３に商品４１の画像を表示する。
【００２８】
ＳＴ６４にて、別の無線タグが無いと判断すると、ＳＴ６５の数量選択入力判定を行う。このとき、店員がキーボード３の操作により、数量入力する商品画像を選択し、選択した商品の数量を入力することができる。数量選択入力が行われると、ＳＴ６６にて、登録部１６に選択した商品と数量に応じた商品情報登録を行い、ＳＴ６７の処理に移る。ＳＴ６５にて、数量選択入力が無い場合もＳＴ６７の処理に移る。
【００２９】
そして、ＳＴ６７にて、無線タグの読み取り不可の判定を行う。ＳＴ６７にて、商品４１〜４３が読み取り範囲４０に入っていれば無線タグの読み取りができるので、ＳＴ６４の処理に戻る。商品４１〜４３が読み取り範囲４０の外に出されると、無線タグの読み取りができなくなり、読み取り不可と判定し、ＳＴ６８にて読み取り不可となった商品の画像を画像表示部２から消去する。店員は、商品登録する商品を全て登録できれば、スキャナ切換えをしなくて良く、ＳＴ６９にてスキャナ切換えをせず、ＳＴ７０にて画像表示部２に表示が残っている商品画像の全てを消去し、ＳＴ７５の処理に移る。
【００３０】
ところで、無線タグの付いていない商品や無線タグが壊れてしまった場合は、無線タグの読み取りができない。この場合、無線タグの読み取り範囲４０内に商品を置いても画像表示部２に商品画像が現れないため、店員は登録できないことを知ることができる。このとき、店員はキーボード３のスキャナ切換えキーを押すことにより、ＳＴ６９のスキャナ切換えを行う。ＳＴ６９のスキャナ切換えは、無線タグ読み取り部５からの電磁波送信を停止させ、バーコード読み取り部４を動作させる処理を行う。
【００３１】
ＳＴ７１にて、店員はバーコード読み取り部４の操作により、商品に付いているバーコードの読み取りを行う。
【００３２】
ＳＴ７２にて読み取ったバーコードをデータベース部１７へ問合せをして、ＳＴ７３にて登録部１６に読み取ったバーコードに対応する商品名や金額を登録する。このときに、バーコードを読み取ったことを店員に知らせるように、音を出したり、画面枠５７に登録情報を表示してもよい。ＳＴ７４にてスキャナ切換えの判定をする。バーコードを読み取る商品がさらにある場合は、スキャナを切換えずにＳＴ７１の処理に戻る。バーコードを読み取る商品が無い場合は、店員はキーボード３のスキャナ切換えキーを押すことにより、スキャナを切換える。ＳＴ７４のスキャナ切換えは、バーコード読み取り部４の動作を停止させ、無線タグ読み取り部５から電磁波を出力する。ＳＴ７５にて、登録終了の判定を行い、さらに登録する商品がある場合はＳＴ６１の処理に戻る。この登録終了の判定はＰＯＳの精算キーの操作で判定している。全ての商品を登録したときは、登録終了する。
【００３３】
次に、登録部１６に登録された商品情報の登録を取り消す処理を図７のフローチャートを参照して説明する。入力部１２の登録取り消しキーの操作により、登録取り消し処理が開始される。すると、無線タグ読み取り部５から電磁波が出力され、無線タグの読み取り範囲４０ができる。店員が、登録取り消しする商品を読み取り範囲４０の中に置くと、ＳＴ８１にて、商品に付いた無線タグの読み取りを行い、無線タグ内の商品識別情報が読み取られる。
【００３４】
ＳＴ８２にて読み取った商品識別情報が登録部１６に登録されていない場合は、ＳＴ８８の処理に移り、登録取り消しは行われない。ＳＴ８２にて、読み取った商品識別情報と同じ情報が登録部１６に登録されているかを確認する。ＳＴ８３にて同じ商品識別情報がある場合は、ＳＴ８４の処理に移る。ＳＴ８４にて、ＳＴ８２で読み取った商品識別情報をデータベース部１７に送り、データベース部１７は商品画像情報を制御部１５に送る。ＳＴ８５にて、制御部１５に送られた商品画像情報を画像表示部２の画像表示枠５１に表示する。ＳＴ８６にて、店員に登録取り消し確認のキー入力を促すメッセージを画像表示部２に表示し、登録取り消しを行わない場合は、ＳＴ８８の処理に移り、登録取り消しは行わない。ＳＴ８６にて、登録取り消しを行うキー入力が行われた場合は、ＳＴ８７にて、登録部１６から商品登録情報を削除し、画像表示枠５１に表示された画像を消去する。ＳＴ８８にて、登録削除終了かを判断し、登録取り消しをする商品がさらにある場合はＳＴ８１に戻り、登録取り消しをする商品が無い場合は登録取り消しが終了となる。
【００３５】
登録情報は、画面表示枠５７に表示することができ、キーボード３の操作により、精算する合計金額等の計算や発行するレシートの情報として使用される。
【００３６】
店員は、一度に登録する商品数を目視で確認できる数量にして、無線タグ読み取り範囲に商品を移動させる。商品の大きさにもよるが、一度に読み取り範囲に持っていく商品数は３〜５個くらいが良い。人間が瞬時に目視で認識できる数量は７個程度であるので、画面に表示できる画像表示は７個にしてもよい。
【００３７】
このようにすることにより、店員は、無線タグの付いた商品の商品情報を登録する際に、複数個の商品をまとめて登録することができ、何らかの理由で登録できなかった商品を瞬時に知ることができる。そして、登録できなかった商品は、バーコードを読み取ることにより商品情報を登録できる。従って、商品登録の登録時間を早くすることができる。
【００３８】
また、同一の商品が複数個ある場合は、１個だけ商品の読み取りを行わせ、その商品の数量を入力するだけでよいため、登録時間を早くすることができる。
【００３９】
また、商品登録した情報を取り消すときにも、商品に付いた無線ダクを利用することができるため、店員がバーコードの位置を見つけ出す必要が無く、登録取り消しを行う商品の無線タグを読み取らせることができる。よって、登録された商品の登録取り消しを行う作業も早くすることができる。
【００４０】
次に、本発明の第２の実施の形態について図８乃至図１０を参照して説明する。前述した第１の実施の形態では、バーコード読み取り部として手持ち式のバーコードリーダを用いて、画像表示部と入力部が異なる形態の説明をした。本第２の実施の形態では、バーコード読み取り部が設置式のバーコードリーダであり、画像表示部と入力部が一体となっている形態について説明する。
【００４１】
図８は本発明の第２の実施の形態の商品情報登録装置の外観図である。図において、１０１はレジスタである。このレジスタ１０１にはキーボード１０２が備え付けられている。レジスタ１０１の横に買い物カゴ等を置くサッカー台１０６が配置され、このサッカー台１０６にバーコード読み取り部１０４とタッチパネル１０３が設置されている。商品情報を登録する店員は、タッチパネル１０３に向かい合うようにサッカー台１０６の前に立ったり、レジスタ１０１の前に立って、タッチパネルやレジスタの操作を行う。
【００４２】
また、タッチパネル１０３とそれを操作する店員との間のサッカー台の中には、無線タグ読み取り部１０５が設置されている。この無線タグ読み取り部１０５の読み取り範囲は、サッカー台１０６の上方に形成されている。
【００４３】
本第２の実施の形態に係わる商品情報登録装置のブロック図は、タッチパネル１０３が画像表示部１１と入力部１２の二つの機能を兼ね備えている部分だけ異なるが、それ以外は図２のブロック図と同じであるので、図２を援用して説明する。
【００４４】
図９はタッチパネル１０３の画面構成である。画像表示枠１２１〜１２６内には、無線タグ読み取り部１０５にて読み取った商品識別情報に対応した商品画像が表示される。商品画像の表示は、商品識別情報の読み取り順に表示し、読み取りを行う店員が直ちに読み取った商品の数量と商品がわかるようにする。商品画像を表示していない画像表示枠１２４〜１２６は、画像表示枠を表示しても良いし、画像表示枠を画面の背景色と同じにしてもよい。また、画像表示枠１２１〜１２６の画像を表示している枠に、店員が触れると、その画像の商品情報を選択することができる。
【００４５】
表示キー１２７は、数字や商品登録時に頻繁に使用するキー（確認キー、登録取り消しキー等）を画像表示してあり、表示したキーを店員が触れることにより、表示に応じた操作ができる。切換えキー１２８は、店員が触れることにより、バーコード読み取り部１０４と無線タグ読み取り部１０５の動作／停止を切換えることができる。
【００４６】
図１０は商品情報登録動作を説明する図である。商品情報登録処理の流れ図は、第１の実施の形態で説明した図６のフローチャートの処理と同じであり、その詳細な説明については省略する。図１０に示すように、客が購入する商品を陳列棚から取り、精算場所に持ってきたカゴ１１３と登録済みの商品を入れるカゴ１１２がサッカー台１０６の上に置かれている。カゴ１１３に入っている商品１１４〜１１６には、図３（Ｂ）のように無線タグとバーコードが付けられており、商品１１７にはバーコードのみが付けられている。商品情報の登録開始は、タッチパネル１０３の操作でもレジスタ１０１に備え付けられているキーボード１０２の操作でも開始できる。タッチパネル１０３から登録開始の操作が行われると、無線タグ読み取り部１０５から電磁波が出力され、読み取り範囲１１１内に無線タグが入ると、無線タグの読み取りを行うことができる。
【００４７】
店員が商品１１４〜１１７をカゴ１１３から取り出し、その商品１１４〜１１７が無線タグ読み取り範囲１１１に入ると、無線タグ読取装置１０５が商品に付けられた無線タグと通信を行い、読み取った商品識別情報に応じた画像はタッチパネル１０３の画像表示枠１２１〜１２３に表示される。
【００４８】
店員は、商品１１４〜１１７の中から、タッチパネルに表示された無線タグ１１４〜１１６をカゴ１１２に移動させる。商品１１７には無線タグが付いていないため、店員はタッチパネル１０３の切換えキー１２８に触れることにより、無線タグ読み取り部１０５からの電磁波の出力が停止し、バーコード読み取り部１０４が起動する。店員がバーコード読み取り部１０４に商品１１７のバーコードを読み取らせることにより、商品１１７の登録ができ、商品１１７をカゴ１１２に移動させる。その後、店員は、切換えキー１２８に触れることにより、バーコード読み取り部１０４の動作が停止し、無線タグ読み取り部１０５から電磁波を出力する。
【００４９】
登録する商品がカゴ１１３の中に残っている場合は、同様に複数の商品登録を行う。カゴ１１３の中に登録する商品がなくなると、商品情報の登録処理は終了する。
【００５０】
また、同じ商品が複数ある場合は、タッチパネル１０３に表示された選択する画像枠を触れることにより、商品選択を行い、タッチパネルの表示キー１２７を操作することにより、第１の実施の形態で説明した数量選択入力を行うことができる。
【００５１】
また、登録した商品の取り消しも、商品に付けられた無線タグを利用することにより、第１の実施の形態と同様の手順で行うことができる。
【００５２】
このようにすることにより、店員は、無線タグの付いた商品の商品情報を登録する際に、複数個の商品をまとめて登録することができる。さらに、店員から見ると、無線タグ読み取り範囲と登録された商品画像の表示が同一方向にあるため、複数個の商品の中から登録された商品を瞬時に知ることができる。そして、何らかの理由で登録できなかった商品は、バーコードを読み取ることができる。よって、商品登録の登録時間を早くすることができる。
【００５３】
また、同一の商品が複数個ある場合は、１個だけ商品の読み取りを行わせ、その商品の数量を入力するだけでよいため、登録時間を早くすることができる。
【００５４】
また、商品登録した情報を取り消すときにも、商品に付いた無線タグを利用することができるため、店員がバーコードの位置を見つけ出す必要が無く、登録取り消しを行う商品の無線タグを読み取らせることができる。よって、登録された商品の取り消しを行う作業も早くすることができる。
【００５５】
なお、実施の形態では、商品識別情報から商品名や金額や商品画像情報を問合せるデータベース部を商品情報登録装置の中に備えたが、データベース部を商品情報登録装置ではなく店舗サーバー等に置き、通信ネットワークで接続して通信を行ってもよい。このとき、商品情報登録装置から商品識別情報を含む問合せ情報が店舗サーバーに送られ、店舗サーバーは対応した商品名や金額や商品画像情報を商品情報登録装置に送り返すことにより、商品情報登録装置に商品を登録すると共に商品画像を表示することができる。
【図面の簡単な説明】
【００５６】
【図１】本発明の第１の実施の形態に係わる商品情報登録装置の外観図。
【図２】同第１の実施の形態に係わる商品情報登録装置のブロック図。
【図３】同第１の実施の形態に係わる商品に付ける無線タグとバーコードを示す外観図。
【図４】同第１の実施の形態に係わる画面表示を説明するための図。
【図５】同第１の実施の形態に係わる商品情報登録動作を説明するための図。
【図６】同第１の実施の形態に係わる商品情報登録動作を説明するためフローチャート。
【図７】同第１の実施の形態に係わる商品情報登録取り消し処理を説明するためのフローチャート。
【図８】本発明の第２実施の形態に係わる商品情報登録装置の外観図。
【図９】同第２の実施の形態における画面表示と入力画面を説明するための図。
【図１０】同第２の実施の形態における商品情報登録動作を説明するためのフローチャート。
【符号の説明】
【００５７】
１…レジスタ、２…画像表示部、３…キーボード、４…バーコード読み取り部、
５…無線タグ読取装置、  １１…画像表示部、１２…入力部、１３…無線タグ読み取り部、  １４…バーコード読み取り部。
【図１】
2005173769.tif 000003
【図２】
2005173769.tif 000004
【図３】
2005173769.tif 000005
【図４】
2005173769.tif 000006
【図５】
2005173769.tif 000007
【図６】
2005173769.tif 000008
【図７】
2005173769.tif 000009
【図８】
2005173769.tif 000010
【図９】
2005173769.tif 000011
【図１０】
2005173769.tif 000012